(57)【要約】【課題】基板ケースの設計変更に伴う成形型の作製の容易化を図り、もって基板ケースの製造コストを抑制した遊技機を提供すること。【解決手段】回路基板と第１ケース及び第２ケースを有して内部に回路基板が設けられた基板ユニットを備えた遊技機において、前記第１ケースと、前記第１封止部を有する第１連結部材と、及び前記第２ケースと、前記第２封止部を有する第２連結部材と、が樹脂により別体に成型して構成され、前記第１ケース及び第２ケースの一側面に前記第１封止部と第２封止部を嵌着することによって前記第１ケースと前記第１封止部が、第２ケースと第２封止部が一体化されるように構成されている。【選択図】  図２０
2007215627.tif 000002
【特許請求の範囲】
【請求項１】
回路基板と第１ケース及び第２ケースを有して内部に回路基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記回路基板を取り出すときには基板ユニットを破壊するか或いは所定の部位を切断することを必要とする基板ユニットを備えた遊技機において、
前記第１ケースと、前記第１封止部を有する第１連結部材と、及び前記第２ケースと、前記第２封止部を有する第２連結部材と、が樹脂により別体に成型して構成され、
前記第１ケース及び第２ケースの一側面に前記第１封止部と第２封止部を嵌着することによって前記第１ケースと前記第１封止部が、第２ケースと第２封止部が一体化されるように構成されていることを特徴とする遊技機。
【発明の詳細な説明】
【技術分野】
【０００１】
本発明は、パチンコ機やスロットマシンに代表される遊技機に関し、より詳しくは、制御基板を収容可能な基板ケースを備えた遊技機に関するものである。
【背景技術】
【０００２】
従来の遊技機には、遊技に関わる種々の制御を司る制御基板を基板ケースに収容したものがある（例えば、特許文献１，２参照）。この種の基板ケースは、複数の封止機構が設けられ、それらを順次利用して封止される。即ち、監督官庁等の検査機関による検査の際には、現在封止されている封止機構を破壊して基板ケースを開封すると共に、検査後に未使用の封止機構を用いて基板ケースを再度封止する。そして、検査回数を履歴として残すようにし、検査回数と破壊された封止機構の数とを照合することにより、不正行為によって封止機構が破壊されたことがあるか否かを判定する。なお、不正行為は、正規な制御プログラムが格納されているＲＯＭを不正な制御プログラムが格納されているＲＯＭに交換すること等を目的としてなされる。
【０００３】
【特許文献１】特開２００５−１０２８３４号公報
【特許文献２】特開２００５−１５２２９７号公報
【発明の開示】
【発明が解決しようとする課題】
【０００４】
しかしながら、従来の遊技機は、封止機構が破壊されたことがあるか否かを容易に判定できる一方、破壊された封止機構を容易に復元できないようにするという観点から、基板ケースの封止機構の構造が上記特許文献に示されているように複雑になっていた。一方、基板ケースに収納される制御基板の大きさや形状が遊技機の機種によって相違することから、基板ケースは、遊技機の機種ごとに作られるという実情がある。このため、遊技機の機種ごとに、複雑な構造の封止機構を含む基板ケースを成形するための成形型を作製する必要があり、基板ケースの製造コストが嵩むという問題があった。
【０００５】
本発明は斯かる課題に鑑み創案されたものであって、その目的は、基板ケースの設計変更に伴う成形型の作製の容易化を図り、もって基板ケースの製造コストを抑制した遊技機を提供することにある。
【課題を解決するための手段】
【０００６】
本発明にかかる遊技機は、上記目的を達成するために、手段１として、回路基板と第１ケース及び第２ケースを有して内部に回路基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記回路基板を取り出すときには基板ユニットを破壊するか或いは所定の部位を切断することを必要とする基板ユニットを備えた遊技機において、前記第１ケースと、前記第１封止部を有する第１連結部材と、及び前記第２ケースと、前記第２封止部を有する第２連結部材と、が樹脂により別体に成型して構成され、前記第１ケース及び第２ケースの一側面に前記第１封止部と第２封止部を嵌着することによって前記第１ケースと前記第１封止部が、第２ケースと第２封止部が一体化されるように構成されていることを特徴とする。
本発明において、上記の嵌着とは、凹部に対して凹部と略同形状の外形を有する凸部を落とし入れて身動きならないようにすることの他に係合や係止、及び取り付け方向を一方向に規制する所定部位により規制された状態で一方のケースを所定位置まで移動させることにより抜き出しが規制されることなどの意味を含むものとする。
【０００７】
遊技機の機種ごとに相違する制御基板の大きさや形状によってケースの設計変更を行なっても、封止部の設計変更を行なう必要はない。かかる観点から、上記の如く、前記第１ケースと、前記第１封止部を有する第１連結部材と、及び前記第２ケースと、前記第２封止部を有する第２連結部材と、が樹脂により別体に成型して構成され、前記第１ケース及び第２ケースの一側面に前記第１封止部と第２封止部を嵌着することによって前記第１ケースと前記第１封止部が、第２ケースと第２封止部が一体化されるように構成すると、ケースの成形型のみを設計変更して封止部の成形型はそのまま使い続けることができる。
これにより、複雑な構造の封止部を含む基板ケースの成形型を、遊技機の機種（ケースの寸法が異なる）ごとに作製する必要がなくなり、基板ケースの製造コストを抑制することができる。また、本発明は、ケースと封止部との連結手段として嵌着という手段を採用している。連結手段としては、接着・溶着などの他の手段も採用し得るが、これら他の手段を採用すると、ケースに対する封止部の位置決め精度を高めるために工数の増加等を招き、製造コストが高くなるおそれがある。そのため、本発明では、工数が少なくてもケースに対する封止部の位置決め精度が高くなる嵌着を連結手段として採用している。
【０００８】
手段２：手段１に記載の遊技機において、
前記第１又は第２ケースの少なくとも何れか一方、及び前記第１又は第２封止部の少なくとも何れか一方に嵌合部が設けられ、かつ、他方に前記嵌合部に嵌合する嵌合片が設けられ、前記嵌合部と前記嵌合片をケースの開口側からケースの一側面に沿って嵌め合わせて両者が嵌着されるように構成され、他方のケースの封止部が、前記一方のケースの封止部に、両ケースの突き合わせ方向において、対向配置されていることを特徴とする。
かかる構成によって、ケース及び封止部の一方に設けた嵌合部と他方に設けた嵌合片とをケースの開口側から嵌め合わせることで、一対のケースを突き合わせた際に各ケースの封止部同士が干渉し、前記ケースから封止部を取り外しできなくなる。
【０００９】
手段３：手段１又は手段２に記載の遊技機において、
前記第１、第２ケースが、それぞれケースと前記封止部とから構成されていることを特徴とする。
何れのケースも、その封止部をケースと別体構成とすることで、両ケースの何れか一方又は両方の封止部の構成が複雑なものであったとしても、別体構成される封止部を汎用性のあるものとして、サイズの異なる種々の機種の基板ケースのシンプルな構成としたケースに適用できて、基板ケースの製作コストを大幅に低減できる。
【００１０】
手段４：手段３に記載の遊技機において、
前記両ケースと封止部との嵌合方向と、両封止部の連結方向とが並行で且つ逆向きに構成され、両封止部の連結において、前記ケースに対して封止部が嵌合離脱の方向に変位可能に構成されている。
前記ケースと封止部とが一体成形されていて、それぞれに製作誤差等があって、ケース同士の突合せと封止部同士の突合せとが面一とならなかった場合（通常ではケース同士がピッタリと突き合わされ、封止部同士の間に隙間が形成される虞がある）には、両ケースの両封止部同士が封止用ピンで連結される際に互いに引き付けられると、ケースと封止部との間に撓みが生じる虞があるが、本発明のように構成することで、嵌合状態は維持しながら、前記封止部がケースから僅かに変位（スライド）して逃げ、撓み発生を回避させることができ、封止完了時に封止部及びケースに歪みを残す事がない。この際、連結時に両封止部が変位可能となったことで、同時に、互いの突合せを面一として密着連結することが可能になり、封止部同士の連結を強固に行い得る。
【００１１】
手段５：手段１乃至手段４に記載の遊技機において、
前記ケース又は前記封止部の何れか一方に嵌合方向に延在する舌片を設けると共に該舌片に爪部を設け、かつ、他方に爪部を係止させる第１のスリットを設けたことを特徴とする。
このように、前記ケース及び前記封止部の一方に設けた爪部を他方に設けた第１のスリットに係止させることで、前記嵌合部と前記嵌合片との嵌合だけの状態に比べ、爪部による係止作用が加わることによって嵌合状態を確固たるものに出来て、一対のケースを突き合わせなくても、一旦爪部の係止が行われれば、ケースから封止部が脱落しなくなる。
なお、第１のスリットは、爪部を係止させることができればいかなる構成であってもよい。例えば、下記実施形態で示す貫通孔に限定されず、有底孔や凹溝であってもよい。
【００１２】
手段６：手段５に記載の遊技機において、
前記第１のスリットが前記封止部に設けた貫通孔であって、前記第１のスリットを遮蔽する遮蔽部を前記封止部に設けたことを特徴とする。
第１のスリットが封止部に設けた貫通孔である場合、第１のスリットに係止した爪部が見えやすくなることがある。前記第１のスリットを遮蔽する遮蔽部を前記封止部に設けることで、第１のスリットに係止した爪部を視認しにくくなる。これにより、ケースと封止部の連結構造を視認し難くしてゴト対策を講じている。
【００１３】
手段７：手段５又は手段６に記載の遊技機において、
前記嵌合部よりも内側にポケット部を設け、前記舌片が、該ポケット部の外側壁部を切欠いて構成されていることを特徴とする。
このように、前記舌片を設けるに際し、ポケット部を構成する外側壁部の一部を利用して舌片を形成することで、別途舌片を形成する必要がなく、部材の兼用によって係止機能を備えることが出来る利点がある。
【００１４】
手段８：手段１〜７のいずれかに記載の遊技機において、
前記封止部を有色樹脂で構成したことを特徴とする。
一般に基板ケースは内部に収納した制御基板を外部から視認できるように透明樹脂で構成されている実情がある。従前の如くケースと封止部を一体成形した場合は、封止部も透明樹脂で構成される。そうすると、封止部の構造が外部から見て分かりやすくなるという欠点が生じる。本発明では、上述のようにケースと封止部とを別体に構成してあるので、ケースを透明樹脂で構成しても封止部を有色樹脂で構成することができる。このように、封止部を有色樹脂で構成すれば、封止部を外部から見てもその構造を確認しにくくなり、外部から視認できることによる予想外の基板ケースの不正な開封を防止することができる。
【００１５】
手段９：手段１〜８のいずれかに記載の遊技機において、
前記嵌合部よりも内側にポケット部を設け、前記ポケット部に前記舌片の弾性変形を規制する樹脂を充填したことを特徴とする。
前記嵌合部よりも内側に設けたポケット部に溶融状態の樹脂を充填してから、ケースと封止部を連結させる。溶融状態の樹脂が固化すると、前記舌片の弾性変形が規制され、舌片の爪部の第１のスリットとの係合が外れるのに必要な弾性変形が得られず、その結果、ケースから封止部を取り外せなくなる。
【００１６】
手段１０：手段９に記載の遊技機において、
第１、又は第２ケースのいずれか一方の封止部がケース側を開口させた箱状とされ、前記舌片の弾性変形を規制する樹脂が有色であることを特徴とする。
第１、又は第２ケースのいずれか一方の封止部は不正な開封を防止するという観点から箱状に形成される。この場合、成形上の都合でケース側を開口させた箱状とされる。上記の如く、前記舌片の弾性変形を規制する樹脂を有色とすることで、ケース側からも封止部内を見えなくすることができる。
【００１７】
手段１１：手段４乃至手段１０のいずれかに記載の遊技機において、
前記ケース及び前記封止部の他方に前記舌片の先端側を覆うフランジを設けたことを特徴とする。
前記ケース及び前記封止部の他方に設けたフランジにて前記舌片の先端側を覆うことで、舌片に設けた爪部を視認しにくくなり、その爪部を破壊されたりする虞も未然に回避できる。
【００１８】
手段１２：手段１１に記載の遊技機において、
前記フランジに第２のスリットを設け、かつ、前記ケース本体部又は前記封止部の何れか一方に前記第２のスリットに挿入される凸部を設けたことを特徴とする。
このように、フランジに設けた第２のスリットに凸部を挿入することで、嵌合部と嵌合片の嵌合を補強することができる。
【００１９】
手段１３：手段１２に記載の遊技機において、
前記一方のケースの前記封止部を嵌着した側部に繋がる両側部に凹溝部を設け、他方のケースの前記封止部を嵌着した側部に繋がる両側部に突条を設けて、前記封止部を嵌着した側部から対向側部の方向にスライドさせて互いに嵌合せしめるように構成したことを特徴とする。
このように、ケースに対する封止部の嵌合方向と、ふたつのケース同士の嵌合方向が、結果として直交する方向であるので、一旦ケース同士の嵌合が完了すれば、対向する封止部がケースから脱落する虞がなくなる。このように、両者の嵌合方向を直交する方向とする簡単な構成を採用することで、ケースの組み付け時にすでに封止部のケースからの脱落を阻止することができる。
【００２０】
手段１４：手段１３に記載の遊技機において、
前記両封止部の一方の対向面に嵌合凹部を形成し、他方の封止部の一方の対向面に嵌合凸部を形成し、前記嵌合凹部が、前記ケース構成体同士のスライド嵌合の完了時に、前記嵌合凸部を受け止める当たり面を備えていることを特徴とする。
このように、両ケースが封止部において当たり面で嵌合が止められることで、封止部が互いに正確な対向位置となり、封止用ピンをスムースに挿入して封止を行うことができる。
【００２１】
手段１５：手段１４に記載の遊技機において、
第１、第２ケースの各々の第１のスリットを、前記ケースの合わせ面を線とする線対称的に配置し、かつ、第１、第２ケースの各々の第２のスリットを互いに連通するように設けたことを特徴とする。
換言すると、一対のケースは、舌片及び凸部が対向配置される。これにより、各ケースについてケースと封止部の連結強度が均一化される。つまり、一方のケースと封止部の連結強度が十分に確保されていれば、他方のケースと封止部の連結強度も十分に確保されることになり、各ケースについて連結強度の構造計算をする手間を省くことができる。
【発明の効果】
【００２２】
本発明によれば、上述の如く、第１、第２ケースと、第１、第２封止部を有する第１、第２連結部とを別体構成にして、その封止部を特定の汎用性あるものとしたので、遊技機の機種ごとにケースを設計変更してその成形型を作製しなければならない場合も、複雑な構造の封止部を備えた成形型をその都度作製する必要がなくなるから、基板ケースの製造コストを抑えた遊技機を提供することができる。
また、第１、第２ケースと、第１、第２封止部を有する第１、第２連結部とを別体構成にすることで、封止部を有色樹脂で構成することが可能になる。これにより、基板ケースの不正開封を防止しやすい遊技機を提供することができる。
【発明を実施するための最良の形態】
【００２３】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、スロットマシン、パチンコ機とスロットマシンとを融合させた融合機（例えば遊技媒体として遊技球を使用するスロットマシン）、その他種々の遊技機（例えばゲームセンタに設置されるいわゆるアーケードゲーム機など）に適用することができる。
【００２４】
（パチンコ機の正面構成）
図１は本実施形態のパチンコ機１０の正面図であり、図２は外枠１１に対して内枠１２と前面枠セット１４とを開放した状態を示す斜視図である。但し、図２では便宜上、下皿ユニット１３が内枠１２から取り外された状態を示している。
【００２５】
図１，２に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ(アクリロニトリル−ブタジエン−スチレン）樹脂から成る。こうすることで、粘性が高く衝撃に強くでき、低コストで製造できるという利点が発揮される。
【００２６】
内枠１２の構成を、図３も用いて詳細に説明する。図３は、パチンコ機１０から前面枠セット１４を取り外した状態を示す正面図である（但し、図３では便宜上、遊技盤３０面上の遊技領城内の構成〔釘、センター役物等〕を空白で示している）。
【００２７】
内枠１２は、大別すると、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０と、この樹脂ベース２０の後側に取り付けられる遊技盤３０とを備えている。
【００２８】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。遊技球発射ハンドル１８は、下皿１５よりも右方で手前側に突出するように配設されている。
【００２９】
遊技者による遊技球発射ハンドル１８の操作に応じて、遊技球発射装置３８（図６参照）によって遊技球が遊技盤３０の方へ打ち込まれるようになっている。遊技球発射装置３８は、遊技球発射ハンドル１８と後述するセットハンドル２２８と発射モータ２２９（図６参照）などで構成されている。音出力口２４は、下皿ユニット１３内あるいは背面に設けられたスピーカ（図示略）からの音を出力するための出力口である。また、灰皿２２は下皿１５の左方に設けられている。灰皿２２は左右方向（水平方向）の軸線を軸心にして回動（例えば前方側に向けて前回り）するように、その右側が下皿１５に片待ち支持されている。
【００３０】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００３１】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ（図３参照）内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のものであって、具体的には針金、ピアノ線、セルロイド板等）を差し入れるなどの不正行為を防止できるようになっている。また、前面枠セット１４は、内枠１２と同様に、合成樹脂、具体的にはＡＢＳ樹脂により構成されているので、粘性が高く衝撃に強くでき、低コストで製造できる。
【００３２】
一方、前面枠セット１４の下部（上述の下皿１５の上方位置）には、遊技球の受皿としての上皿１９（図１参照）が前面枠セット１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００３３】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。
【００３４】
次に、図４を用いて遊技盤３０の構成を説明する。図４は遊技盤３０の構成を示す正面図である。遊技盤３０は、天入賞口６１０、一般入賞口６００、左右１対の第１始動口６０１、これら第１始動口６０１の変形部であって第１始動口６０１より若干下方に設けられた第２始動口６０２、遊技領域の略中央に設けられた電動役物ユニット（センター役物）６０３等を備えている。これらの一般入賞口６００、第１始動口６０１、第２始動口６０２、電動役物ユニット６０３等は、遊技盤３０における、ルータ加工によって形成された各貫通穴にそれぞれに配設され、遊技盤３０前面側から木ネジ等により取り付けられている。前述の天入賞口６１０、一般入賞口６００、第１の始動口６０１、第２の始動口６０２に対応する部位には、それぞれ、天入賞口入球センサ６０９、一般入賞口入球センサ６０７、第１始動口入球センサ６０５、第２始動口入球センサ６０６が設けられており、これらセンサは、図示しない電気配線を通じて後述する主制御基板（主制御装置）に接続されている。そして、天入賞口６１０、一般入賞口６００、第１始動口６０１、第２始動口６０２および電動役物ユニット６０３に遊技球が入球した場合には、上記各検出センサで検出され、この検出センサの出力に基づいて、上皿１９（または下皿１５）へ所定数の賞品球が払い出される。
【００３５】
尚、上記入賞感知機構にて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００３６】
その他に、遊技盤３０の左右端には、上記一般入賞口６００を備えた装飾部材６３０が設けられる一方、遊技盤３０の下方には、上記第１始動口６０１、第２始動口６０２を備えた補助ユニット６０８が設けられている。また、遊技盤３０にはアウト口３６が設けられており、各種入賞装置等に入球しなかった遊技球はこのアウト口３６を通って図示しない球排出路の方へと案内されるようになっている。さらに、遊技盤３０には、遊技球の落下方向を適宜分散、調整等するために多数の釘が植設されているとともに、同様の機能を有する風車が配設されている。
【００３７】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。なお、レールユニット５０はフッ素樹脂を添加して成形されているので、図３に示す奥面５０ａについての遊技球の摩擦抵抗を少なくできる。内レール５１は上方の約１／４ほどを除いて略円環状に形成され、一部（主に左側部）か内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３８】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５（図３参照）が取着されている。
【００３９】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。本実施形態では、レールユニット５０の少なくとも左側を遊技盤３０に強固に締結するために、レールユニット５０の左側はその右側よりも多いネジで遊技盤３０に締結されているので、レールユニット５０の左側についての遊技盤３０への密着性を上げることかでき、遊技球の球飛びを良くすることができる。レールユニット５０の左側が遊技盤３０に対してぐらついているとこのレールユニット５０に出射された遊技球の勢いが当該ぐらつきにより吸収されてしまうからである。
【００４０】
さらに本実施形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域の拡張が図られるようになっている。
【００４１】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部および左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００４２】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００４３】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００４４】
また、発射レール６１とレールユニット５０（誘導レール）との間には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。
【００４５】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される、これにより、ファール球の全てがファール球通路６３に確実に案内されるようになり、ファール球と次に発射される遊技球との干渉が抑制される。
【００４６】
なお、詳しい図面の開示は省略するが、遊技球発射装置３８には、前面枠セット１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００４７】
図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている、前面枠セット１４を内枠１２から開放した状能（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、本パチンコ機１０においては、前面枠セット１４の開放に際し払出通路内等の遊技球がパチンコ機１０外にこぼれ落ちてしまうといった不都合が防止できるようになっている。
【００４８】
図３に示すように、樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００４９】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００５０】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パテンコ店内）用コンピュータヘ出力されるようになっている。また、前面枠セット１４が閉じられると、図５に示す前面枠セット１４の金属製の補強板１３１，１３２が図３に示す内枠１２の一対の金具９２に接触するようになっており、前面枠セット１４のアースが確保されている。
【００５１】
ここで、前述した前面枠セット１４について、図1，図５を参照しつつより詳細に説明する。図５は、前面枠セット１４の背面図である。前面枠セット１４には前記遊技領域のほとんどを外部から視認することができるよう略楕円形状の窓部１０１が形成されている。詳しくは、窓部１０１は、その左右側の略中央部が、上下側に比べて比較的緩やかに湾曲した形状となっている。なお、前記略中央部が直線状になるようにしてもよい。
【００５２】
また、パチンコ機１０の正面から見て窓部１０１の左端と前面枠セット１４の左端との間の最短距離（いわゆる左側部フレーム部分の左右幅：図５では右側に示されている）、すなわち開閉軸線側のフレーム幅は、前面枠セット１４自体の強度および支持強度を高めるために比較的大きく設定されている。この場合、図１および図３を相互に比較すると明らかなように、前面枠セット１４が閉じられた状態において、外レール５２の左端部はもちろん、内レール５１の左端部も前記左側部フレーム部分によって覆い隠される。つまり、誘導レールの少なくとも一部が、パチンコ機１０の正面からみて前面枠セット１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠セット１４の十分な強度および支持強度が確保可能となっている。
【００５３】
加えて、前面枠セット１４にはその周囲（例えばコーナー部分）に各種ランプ等の発光手段が設けられている。これら発光手段は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光手段を内蔵した上皿電飾部１０４が設けられている。
【００５４】
その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００５５】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５６】
また、図１に示すように、前面枠セット１４の左側の小窓１０７付近を前面側（図１の紙面手前側）に必要以上に突出しないようにしている。こうすることで、パチンコ機１０の左側に設けられたカードサンドの球貸し装置から直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００５７】
前面枠セット１４の裏側には、窓部１０１を囲むようにして金属製の各種補強部材が設けられている。詳しくは、図５に示すように、前面枠セット１４の裏側にあって窓部１０１の上下左右の外側にはそれぞれ補強板１３１，１３２，１３３，１３４が取り付けられている。これら補強板１３１〜１３４は相互に接触して連結されているが、図の左側および上側の補強板１３２，１３３の連結部には直接の接触を避けるための樹脂パーツ１３５が介在されている。このように補強板１３２，１３３の連結部に樹脂パーツ１３５を介在させているので、ノイズが補強板１３１〜１３４でループすることを防止できる。また、図５の右側の補強板１３１にはその中間位置にフック状をなす係合爪１３１ａが設けられており、この係合爪１３１aは、前面枠セット１４を閉じた状態で内枠１２の孔部１２ａ（図３参照）に係合されるように構成されている。この構成により、上皿１９を含む形態で前面枠セット１４が構成され、その上下の軸支位置が延長されたとしても、中間位置における前面枠セット１４の浮き上がりが防止できる。それ故、前面枠セット１４を浮かしての不正行為等が抑制されるようになっている。
【００５８】
また、下側の補強板１３４には、前記発射レール６１（図３参照）に対向する位置に樹脂製のレール側壁部材１３６が設けられている。このレール側壁部材１３６は、前面枠セット１４を閉じた際に発射レール６１の側壁となる。故に、発射レール６１から遊技球がこぼれ落ちないようになっている。
【００５９】
上述した補強板１３１〜１３４はガラス支持用の金枠としての機能も兼ね備えており、これら補強板１３１〜１３４の一部が後方に折り返されてガラス保持溝が形成されている。このガラス保持溝は前後に２列形成されており、矩形状をなす前後一対のガラス１３７が各ガラス保持溝にて保持される。これにより、２枚のガラス１３７が前後に所定間隔を隔てて取着されるようになっている。
【００６０】
また、前面枠セット１４の図５の右端部（パチンコ機１０正面から見ると左端部）には、内枠１２の支持機構として、支持金具１５１，１５２が取り付けられている。従って、内枠１２側の支持金具８１，８２（図３参照）に対して前面枠セット１４側の支持金具１５１，１５２を組み付けることで、内枠１２に対して前面枠セット１４が開閉可能に装着されるようになる。
【００６１】
（パチンコ機の背面構成）
次に、パチンコ機１０の背面の構成を詳しく説明する。図６はパチンコ機１０の背面図であり、図７はパチンコ機１０の背面構成を主要部品毎に分解して示す分解斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板と音声ランプ制御基板とを一方の取付台に搭載してユニット化すると共に、払出制御基板、発射制御基板および電源基板を他方の取付台に搭載してユニット化している。ここでは便宜上、前者のユニットを「第１制御基板ユニット２０１」と称し、後者のユニットを「第２制御基板ユニット２０２」と称することとする。
【００６２】
また、払出機構および保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００６３】
第１制御基板ユニット２０１、第２制御基板ユニット２０２および裏パックユニット２０３は、ユニット単位で何ら工具等を用いずに着脱できるよう構成されており、さらにこれに加え、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００６４】
一方、図８は、内枠１２に遊技盤３０を組み付けた状態でその構成を示す背面図であり、図９は内枠１２を後方より見た斜視図である。ここでは図８および図９を用いて内枠１２および遊技盤３０の裏面構成を説明する。
【００６５】
遊技盤３０は、樹脂ベース２０に囲まれた四角枠状の設置領域に設置され、内枠１２に設けられた複数（本実施形態では４カ所）の係止固定具２１１，２１２によって脱落しないように固定されている。係止固定具２１１，２１２は手動で回動でき、固定位置（ロック位置）と固定解除位置（アンロック位置）とを切り換えることができるよう構成されており、図８にはロック状態を示す。遊技盤３０の左右３ヵ所の係止固定具２１１は金属片を折り曲げ形成したＬ型の金具であり、遊技盤３０の固定状態で内枠外方へ張り出さないよう構成されている。なお、遊技盤３０の下部１カ所の係止固定具２１２は樹脂製のＩ型の留め具である。
【００６６】
遊技盤３０の中央には電動役物ユニット６０３が配置されている一方、電動役物ユニット６０３の下側には第１始動口６０１および第２始動口６０２を備えた補助ユニット６０８が配置されている。遊技盤３０の裏面には、電動役物ユニット６０３、補助ユニット６０８、および、装飾部材６３０を取り囲むようにして、遊技球回収機構を備えた裏枠セット（図示せず）が取り付けられている。また、遊技盤３０の下方には、内枠１２に樹脂製（例えばポリカーボネート樹脂製）の排出通路盤２１７が取り付けられており、該排出通路盤２１７には、排出球をパチンコ機１０外部へ案内するための排出通路２１８が形成されている。従って、一般入賞口６００等に入賞した遊技球は何れも前記裏枠セットの回収通路を介して集合し、さらに排出通路盤２１７の排出通路２１８を介してパチンコ機１０外部に排出される。なお、アウト口３６（図３参照）も同様に排出通路２１８に通じており、何れの入賞口にも入賞しなかった遊技球も排出通路２１８を介してパチンコ機１０外部に排出される。
【００６７】
なお、排出通路盤２１７は、パチンコ機前面の上皿１９の丁度裏側辺りに設けられており、上皿１９に至る球排出口（図２の球通路樋６９）より針金等を差し込み、さらにその針金等を内枠１２と排出通路盤２１７との隙間を通じて遊技領域側に侵入させるといった不正行為が考えられる。そこで本パチンコ機１０では、排出通路盤２１７の上皿１９の丁度裏側辺りに、内枠１２にほぼ一体的に重なり合うようにしてパチンコ機前方に延びるプレート２１９が設けられている。従って、内枠１２と排出通路盤２１７との隙間から針金等を侵入させようとしてもそれがプレート２１９にて阻害され、遊技領域にまで針金等を侵入させることが非常に困難となるので、不正行為を防止することができる。なお、図９において符号２２８は打球槌等を備えるセットハンドルであり、符号２２９は発射モータである。
【００６８】
また、内枠１２の裏面には、第２制御基板ユニット２０２や裏パックユニット２０３を取り付けるための取付機構が設けられている。具体的には、内枠１２にはその右端部に長尺状の支持金具２３５が取り付けられており、その構成を図１０に示す。図１０に示すように、支持金具２３５は長尺板状の金具本体２３６を有し、その金具本体２３６より起立させるようにして、下方２カ所に第２制御基板ユニット用の支持孔部２３７が形成されると共に、上方２ヵ所に裏パックユニット用の支持孔部２３８が形成されている。それら支持孔部２３７，２３８にはそれぞれ同軸の支持孔が形成されている。
【００６９】
その他、第２制御基板ユニット用の取付機構として、内枠１２には、遊技盤設置領域よりも下方左端部に上下一対の被締結孔（ナイラッチ孔）２３９が設けられている。また、裏パックユニット用の取付機構として、内枠１２には、遊技盤設置領域の左端部に上下一対の被締結孔（ナイラッチ孔）２４０が設けられている。但し、第２制御基板ユニット用の支持金具と裏パックユニット用の支持金具とを各々個別の部材で設けることも可能である。符号２４１，２４２，２４３は、遊技盤３０との間に裏パックユニット２０３を挾み込んで支持するための回動式の固定具である。
【００７０】
その他、内枠１２の背面構成において、遊技盤３０の右下部には、後述する払出機構部３５２より払い出される遊技球を上皿１９、下皿１５、または排出通路２１８の何れかに振り分けるための遊技球分配部２４５が設けられている。すなわち、遊技球分配部２４５の開口部２４５ａは上皿１９に通じ、開口部２４５ｂは下皿１５に通じ、開口部２４５ｃは排出通路２１８に通じる構成となっている。図８に示すように、遊技球分配部２４５は、その上方位置に位置する後述の払出機構部３５２（図１８参照）とは別体としている。図８に示すように、遊技球分配部２４５は、内枠１２にネジで締結固定されており、パチンコ機１０の上皿１９の排出口６７（図３参照）から異物を挿入操作するなどしても動かない、つまり遊技球分配部２４５が奥側に押されて遊技球分配部２４５と内枠１２との間に隙間が空くようなことが無いし、この隙間に異物を押入するなどによる不正を防止できる。
【００７１】
また、内枠１２の下端部には、下皿１５に設置されたスピーカの背後を囲むための樹脂製のスピーカボックス２４６が取り付けられており、このスピーカボックス２４６により低音域の音質改善が図られている。
【００７２】
次に、第１制御基板ユニット２０１を、図１１〜図１４を用いて説明する。図１１は第１制御基板ユニット２０１の正面図、図１２は同ユニット２０１の斜視図、図１３は同ユニット２０１の分解斜視図、図１４は同ユニット２０１を裏面から見た分解斜視図である。
【００７３】
第１制御基板ユニット２０１は略Ｌ字状をなす取付台２５１を有し、この取付台２５１に主制御装置２６１と音声ランプ制御装置２６２とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ケース２６３に収容された構成とされる。
【００７４】
また、音声ランプ制御装置２６２は、例えば主制御装置２６１（主制御基板）または図示しない表示制御装置からの指示に従い音声やランプ表示の制御を司るＣＰＵや、その他ＲＯＭ、ＲＡＭ、各種ポート等を含む音声ランプ制御基板を具備しており、この音声ランプ制御基板が透明樹脂材料等よりなる基板ケース２６５に収容されて構成されている。音声ランプ制御装置２６２上には電源中継基板２６６が搭載されており、後述する電源基板より供給される電源がこの電源中継基板２６６を介して前記表示制御装置および音声ランプ制御装置２６２に出力されるようになっている。
【００７５】
取付台２５１は、有色（例えば緑、青等）の樹脂材料（例えばポリカーボネート樹脂製）にて成形され、その表面に平坦状をなす２つの基板搭載面２５２，２５３が設けられている。これら基板搭載面２５２，２５３は直交する向きに延び、前後方向に段差をもって形成されている。但し、取付台２５１は無色透明または半透明の樹脂成型品であっても良い。
【００７６】
そして、一方の基板搭載面２５２上に主制御装置２６１（主制御基板）が横長の向きに配置されると共に、他方の基板搭載面２５３上に音声ランプ制御装置２６２（音声ランプ制御基板）が縦長の向きに配置されるようになっている。特に、主制御装置２６１は、パチンコ機１０裏面から見て手前側に配置され、音声ランプ制御装置２６２はその奥側に配置される。この場合、基板搭載面２５２，２５３が前後方向に段差をもって形成されているため、これら基板搭載面２５２，２５３に主制御装置２６１および音声ランプ制御装置２６２を搭載した状態において各制御装置２６１，２６２はその一部を前後に重ねて配置されるようになる。つまり、図１２等にも見られるように、主制御装置２６１はその一部（本実施の形態では１／３程度）が浮いた状態で配置されるようになる。故に、主制御装置２６１に重なる領域まで音声ランプ制御装置２６２を拡張することが可能となり、当該制御基板の大型化にも良好に対処できる。また、各制御装置が効率良く設置できるようになる。また、第１制御基板ユニット２０１を遊技盤３０に装着した状態では、基板搭載面２５２の後方にスペースが確保され、電動役物ユニット６０３やその電気配線等が無理なく設置できるようになっている。
【００７７】
図１３および図１４に示すように、主制御基板用の基板搭載面２５２には、左右２ヵ所に横長形状の貫通孔２５４が形成されている。これに対応して、主制御装置２６１の基板ケース２６３には、その裏面の左右２ヵ所に回動式の固定具２６７が設けられている。主制御装置２６１を基板搭載面２５２に搭載する際には、基板搭載面２５２の貫通孔２５４に固定具２６７が通され、その状態で固定具２６７が回動されて主制御装置２６１がロックされる。従って、上述の通り主制御装置２６１はその一部が浮いた状態で配置されるとしても、当該主制御装置２６１の脱落等の不都合が回避できる。また、主制御装置２６１は、裏パックユニット２０３の軸線を軸心として開き、第１制御基板ユニット２０１を軸線を軸心として開いた後に、この第１制御基板ユニット２０１（基板搭載面２５２）の裏面側から固定具２６７をロック解除しなければ、取り外しできないため、基板取り外し等の不正行為に対して抑止効果が期待できる。主制御基板用の基板搭載面２５２にはその裏面に格子状のリブ２５５が設けられている。
【００７８】
取付台２５１には、図１２等の左端面に上下一対の支軸２５６が設けられており、この支軸２５６を図８等に示す支持金具２３１に取り付けることで、第１制御基板ユニット２０１が遊技盤３０に対して開閉可能に支持される。また、取付台２５１には、右端部に締結具として上下一対のナイラッチ２５７が設けられると共に上端部に長孔２５８が設けられており、ナイラッチ２５７を図８等に示す被締結孔２３２にはめ込むこと等により、第１制御基板ユニット２０１が遊技盤３０に固定されるようになる。
【００７９】
次に、第２制御基板ユニット２０２を、図１５〜図１７を用いて説明する。図１５は第２制御基板ユニット２０２の正面図、図１６は同ユニット２０２の斜視図、図１７は同ユニット２０２の分解斜視図である。但し、図１６では便宜上、カードユニット接続基板３１４が取付台３０１から取り外された状態を示している。
【００８０】
第２制御基板ユニット２０２は横長形状をなす取付台３０１を有し、この取付台３０１に払出制御装置３１１、発射制御装置３１２、電源制御装置３１３およびカードユニット接続基板３１４が搭載されている。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。また、発射制御装置３１２により、遊技者による遊技球発射ハンドル１８の操作に従い発射モータ２２９の制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００８１】
上記払出制御装置３１１、発射制御装置３１２、電源制御装置３１３およびカードユニット接続基板３１４は、透明樹脂材料等よりなる基板ケース３１５，３１６，３１７，３１８にそれぞれ収容された構成とされる。
【００８２】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られるようになっている。
また、電源制御装置３１３にはＲＡＭ消去スイッチ３２３が設けられている。
【００８３】
取付台３０１は例えば無色透明な樹脂成型品よりなり、その表面に平坦状をなす基板搭載面３０２が設けられている。この場合、発射制御装置３１２、電源制御装置３１３およびカードユニット接続基板３１４は取付台３０１の基板搭載面３０２に横並びの状態で直接搭載され、電源制御装置３１３の基板ケース３１７上に払出制御装置３１１が搭載されている。
【００８４】
また、取付台３０１には、図１５等の右端部に上下一対の支軸３０５が設けられており、この支軸３０５を図９等に示す支持孔部２３７に上方から挿通させることで、第２制御基板ユニット２０２が内枠１２に対して開閉可能に支持される。また、取付台３０１には、左端部に締結具として上下一対のナイラッチ３０６が設けられており、ナイラッチ３０６を図９等に示す被締結孔２３９にはめ込むことで、第２制御基板ユニット２０２が内枠１２に開閉不能に固定されるようになる。
【００８５】
次に、裏パックユニット２０３の構成を説明する。裏パックユニット２０３は、樹脂成形された裏パック３５１と遊技球の払出機構部３５２とを一体化したものであり、裏パックユニット２０３の正面図を図１８に示し、分解斜視図を図１９に示す。
【００８６】
裏パック３５１は例えばＡＢＳ樹脂により一体成型されており、略平坦状のベース部３５３と、パチンコ機後方に突出し横長の略直方体形状をなす保護カバー部３５４とを有する。保護カバー部３５４は左右側面および上面が閉鎖されかつ下面のみが開放された形状をなし、少なくとも電動役物ユニット（センター役物）６０３を囲むのに十分な大きさを有する（但し、本実施形態では、前述の音声ランプ制御装置２６２も合わせて囲む構成となっている）。保護カバー部３５４の背面には多数の通気孔３５４ａが設けられている。この通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の前記表示制御装置等を露出させることで、所定の検定等を容易に実施することができる。
【００８７】
また、ベース部３５３には、保護カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図１９に示す払出通路３５９等を通じて上皿１９に供給される。
【００８８】
タンクレール３５６と、当該タンクレール３５６に振動を付加するためのバイブレータ３６０とが一体化となるようにユニット化されている。つまり、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００８９】
払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮまたは電源ＯＦＦとされるようになっている。
【００９０】
タンク３５５から払出通路３５９に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００９１】
また、裏パック３５１には、図１８等の右端部に上下一対の支軸３８５が設けられており、この支軸３８５を図８等に示す支持孔部２３８に上方から挿通させることで、裏パックユニット２０３が内枠１２に対して開閉可能に支持される。また、裏パック３５１には、左端部に締結具として上下一対のナイラッチ３８６が設けられると共に、上端部に係止孔３８７が設けられており、ナイラッチ３８６を図８等に示す被締結孔２４０にはめ込むと共に、係止孔３８７に図８等に示す固定具２４２を係止させることで、裏パックユニット２０３が内枠１２に開閉不能に固定されるようになる。このとき、図８等に示す固定具２４１，２４３によっても裏パックユニット２０３が内枠１２に固定される。
【００９２】
なお、図６，図１８に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータヘ出力されるようになっている。
【００９３】
なお、図８に示すように、裏パックユニット２０３は、被締結孔２４０およびナイラッチ３８６と、固定具２４１とによって、内枠１２の裏面に着脱自在に取り付けられている。このように固定具２４１も用いているので、タンク３５５に供給される遊技球の重みで裏パックユニット２０３が内枠１２から外れてしまうことを防止している。
【００９４】
以上、パチンコ機の正面側及び背面側の構成につき説明したが、次に、本発明に関する最も重要な部分、即ち基板ケース２６３について詳述する。なお、本発明は主制御装置２６１の基板ケース２６３のみならず、副制御装置（例えば前記表示制御装置、音声ランプ制御装置２６２、払出制御装置３１１、発射制御装置３１２、電源制御装置３１３など）の基板ケース３１５〜３１８（例えば図１５〜１７に示す封止機構３１９）にも適用できるが、説明が重複するので、便宜上、以下の実施形態では主制御装置２６１の基板ケース２６３（図１１乃至図１３に示す封止機構２６４）に適用した場合についてのみ説明する。
【００９５】
図２０は基板ケース２６３の概略分解斜視図である。基板ケース２６３は、図２０に示すように、一対のケース構成体（第１、第２ケース）４００，５００からなる。ここでは、一方のケース構成体４００を基板ボックスと称し、他方のケース構成体５００をボックスカバーと称する。
【００９６】
基板ボックス４００もボックスカバー５００（第１、第２ケース）もともに、透明樹脂からなるケース本体部４１０，５１０と、有色樹脂、ここでは、青色樹脂（その他、黒色、白色、赤色、青色、黄色など）からなる封止ユニット４２０，５２０とを別体に構成してある。各封止ユニット４２０，５２０は、複数、ここでは５個の封止部４２１，４２１，…（第１、又は第２封止部），５２１，５２１，…（第１、又は第２封止部）を連結したものであって、それぞれケース本体部４１０，５１０の一側面に嵌着される。
【００９７】
ボックス側ケース本体部４１０及びカバー側ケース本体部５１０は、互いに組み付けることで図示しない制御基板を収容するための収容空間を形成する。この実施形態では、ボックス側ケース本体部４１０の両側縁部に凹溝部４１１，４１１を設ける一方、カバー側ケース本体部５１０の両側縁部に突条５１１，５１１を設けてある。そして、凹溝部４１１，４１１に突条５１１，５１１をスライド嵌合させて、ボックス側ケース本体部４１０とカバー側ケース本体部５１０を組み付ける構成としている。
【００９８】
このように、一対のケース構成体４００，５００が、それぞれケース本体部４１０，５１０と前記封止部４２１，５２１（第１、又は第２封止部）とから構成されているのである。従って、何れのケース構成体４００，５００も、その封止部４２１，５２１（第１、又は第２封止部）をケース本体部４１０，５１０と別体構成とすることで、両ケース構成体４００，５００の何れか一方又は両方の封止部４２１，５２１の構成が複雑なものであったとしても、別体構成される封止部４２１，５２１（第１、又は第２封止部）を汎用性のあるものとして、サイズの異なる種々の機種の基板ケース２６３のシンプルな構成としたケース本体部４１０，５１０に適用できて、基板ケース２６３の製作コストを大幅に低減できるのである。
【００９９】
図２１はボックス側ケース本体部４１０の内側から見た要部拡大斜視図で、図２２はカバー側ケース本体部５１０の内側から見た要部拡大斜視図である。図２１に示すように、ボックス側ケース本体部４１０は、その一側面、詳しくは、凹溝部４１１を設けた両側縁部の相互間の一側面であって上記スライド嵌合の終端側の面の両端部には、ボックス側封止ユニット４２０を嵌着するための一対の嵌合部４１２，４１２を設けてある。
【０１００】
同様に、図２２に示すように、カバー側ケース本体部５１０の突条５１１を設けた両側縁部の相互間の一側面であって上記スライド嵌合の始端側の面の両端部には、カバー側封止ユニット５２０（第１連結部材又は第２連結部材）を嵌着するための一対の嵌合部５１２，５１２を設けてある。それぞれの嵌合部４１２，５１２は、互いに対向する側と、各ケース本体部４１０，５１０の開口側（内面側）とを開口させた溝状、つまり矩形状の隣接する二辺を開口させた溝状とされる。
【０１０１】
前記両ケース構成体４００，５００のケース本体部４１０，５１０と封止部４２１，５２１との嵌合方向と、両封止部４２１，５２１（第１、又は第２封止部）の連結方向とが並行で且つ逆向きに構成され、両封止部４２１，５２１の連結において、前記ケース本体部４１０，５１０に対して封止部４２１，５２１（第１、又は第２封止部）が嵌合離脱の方向に変位可能に構成されている。
【０１０２】
このように、前記ケース本体部４１０，５１０と封止部４２１，５２１（第１、又は第２封止部）とが一体成形されていて、それぞれに製作誤差等があって、ケース本体部４１０，５１０同士の突合せと封止部４２１，５２１同士の突合せとが面一とならなかった場合（通常ではケース本体部４１０，５１０同士がピッタリと突き合わされ、封止部４２１，５２１同士の間に隙間が形成される虞がある）には、両ケース構成体４００，５００の両封止部４２１，５２１同士が封止用ピン７００で連結される際に互いに引き付けられると、ケース本体部４１０，５１０と封止部４２１，５２１との間に撓みが生じる虞があるが、本発明のように構成することで、嵌合状態は維持しながら、前記封止部４２１，５２１がケース本体部４１０，５１０から僅かに変位（スライド）して逃げ、撓み発生を回避させることができ、封止完了時に封止部４２１，５２１及びケース本体部４１０，５１０に歪みを残す事がない。この際、同時に、両封止部４２１，５２１同士の突合せを面一として密着連結することが可能になり、封止部４２１，５２１同士の連結を強固に行い得る。
【０１０３】
各嵌合部４１２，５１２の内側には、それぞれポケット部４１３，５１３を設けてある。各ポケット部４１３，５１３は、ケース本体部４１０，５１０の幅方向ほぼ全域に渡って形成され、各ケース本体部４１０，５１０と同じ側に開口した溝状とされる。各ポケット部４１３，５１３の外側壁部には、一対の舌片４１４，４１４，５１４，５１４と一対の凸部４１５，４１５，５１５，５１５を設けてある。
【０１０４】
前記各舌片４１４，５１４は、ポケット部４１３，５１３の外側壁部４１３Ａ，５１３Ａを切欠いて構成され、ケース本体部４１０，５１０の底面側から開口側に向かって延在している。各舌片４１４，５１４の先端部外側面には、先端側に向かって先細りとなった断面テーパー状の爪部４１６，５１６を設けてある。尚、ポケット部４１３，５１３の内側壁部４１３Ｂ，５１３Ｂは、ケース本体部４１０，５１０の側壁を兼ねている。
【０１０５】
このように、前記嵌合部４１２，５１２よりも内側にポケット部４１３，５１３を設け、前記舌片４１４，５１４が、該ポケット部４１３，５１３の外側壁部４１３Ａ，５１３Ａを切欠いて構成されているので、前記舌片４１４，５１４を設けるに際し、ポケット部４１３，５１３を構成する外側壁部４１３Ａ，５１３Ａの一部を利用して舌片４１４，５１４を形成することで、別途舌片４１４，５１４を形成する必要がなく、部材の兼用によって係止機能を備えることが出来るのである。
【０１０６】
前記各凸部４１５，５１５は、各舌片４１４，５１４の幅方向外側に位置するポケット部４１３，５１３の外側壁部４１３Ａ，５１３Ａの一部をケース本体部４１０，５１０の開口側へ突出させた構成とされる。この実施形態では、舌片４１４，５１４を構成する切欠きに隣接した外側部分を略矩形状に突出させて凸部４１５，５１５を形成してある。
【０１０７】
次に、図２３乃至図２６を参照してボックス側封止ユニット４２０カバー側封止ユニット５２０（第１連結部材又は第２連結部材）の構成について説明する。図２３はボックス側封止ユニット４２０（第１連結部材又は第２連結部材）の拡大斜視図で、図２４はボックス側封止ユニット４２０（第１連結部材又は第２連結部材）の背面図（ボックス側ケース本体部４１０側から見た図）で、図２５はカバー側封止ユニット５２０（第１連結部材又は第２連結部材）の拡大斜視図で、図２６はボックス側封止ユニット４２０（第１連結部材又は第２連結部材）とカバー側封止ユニット５２０（第１連結部材又は第２連結部材）とを突き合わせた状態を示す斜視図である。
【０１０８】
ボックス側封止ユニット４２０（第１連結部材又は第２連結部材）とカバー側封止ユニット５２０（第１連結部材又は第２連結部材）はともに５個の封止部４２１，４２１，…（第１、又は第２封止部），５２１，５２１，…（第１、又は第２封止部）を連結したものである。各封止部４２１，５２１（第１、又は第２封止部）は、封止用ピン７００（図２６参照）にて封止連結される。
【０１０９】
ボックス側封止ユニット４２０（第１連結部材又は第２連結部材）は、５個のボックス側封止部４２１，４２１，…を連結部４２２にて連結してある。各ボックス側封止部４２１は、図２３，２４に示すように、ケース本体部４１０側を開口させた箱状とされ、カバー側封止部５２１（第１連結部材又は第２連結部材）との突合せ側の面に封止用ピン７００を挿し通すための挿通孔４２１ａを設けた構成とされる。連結部４２２は断面視略Ｅ形状となっている。つまり、この連結部４２２は、ケース本体部４１０側の端部と、その反対側（外側）の端部と、それらの中間部とに、カバー側封止部５２１との突合せ方向のほぼ全域に渡って壁状に形成されると共に、カバー側封止部５２１との突合せ側とは反対側を底状に閉塞するように形成され、ボックス側封止部４２１，４２１同士を強固に連結している。
【０１１０】
また、ボックス側封止ユニット４２０（第１連結部材又は第２連結部材）の両端部には、嵌合部４１２に嵌着させるための嵌合片４２４，４２４を設けてある。各嵌合片４２４は、矩形状の隣接する二辺を開口させた溝状の嵌合部４１２に嵌合する矩形板状とされる。
【０１１１】
一方、ボックス側封止ユニット４２０のケース本体部４１０側の面を構成する連結部４２２であって、両端とその内側のボックス側封止部４２１（第１連結部材又は第２連結部材）の相互間の連結部４２２には、図２４に示すように、爪部４１６，４１６を係止させるための第１のスリット４２５，４２５を設けてある。
【０１１２】
また、ボックス側封止ユニット４２０は、カバー側封止ユニット５２０との突合せ側でかつボックス側ケース本体部４１０側の部位に、舌片４１４，４１４（図２１参照）の先端部を覆うようにフランジ４２６を設けてある。フランジ４２６には、凸部４１５，４１５（図２１参照）を挿入するための第２のスリット４２７，４２７を設けてある。第２のスリット４２７，４２７は、両端のボックス側封止部４２１，４２１と対応する位置に配設されている。
【０１１３】
カバー側封止ユニット５２０（第１連結部材又は第２連結部材）は、図２６に示すように、５個のカバー側封止部５２１，５２１，…を第１の連結部５２２ａにて互い連結すると共に、各カバー側封止部５２１，５２１，…を第２の連結部５２２ｂにて板状部５２３と連結してある。
【０１１４】
各カバー側封止部５２１は、ケース本体部５１０の底面側に相当する側を開口させた略有底角筒状とされ、図２５に示すように、ケース本体部５１０の開口側に相当する底部に封止用ピン７００を挿し通すための挿通孔５２１ａを形成した構成とされる。挿通孔５２１ａは対向する一対の円弧形状とされ、その両側には切欠きを設けて軽量化及び材料費の抑制を図っている。また、カバー側封止部５２１は、図２６に示すように、対向する一対の側壁に切欠きを設けて一対の舌片５２１ｂ，５２１ｂを形成してある。各舌片５２１ｂの内面側には、封止用ピン７００を仮留めするための保持部５２１ｃを設けてある。保持部５２１ｃは、各舌片５２１ｂの内面側に縦列に配設した、保持部５２１ｃの中心に向かって先細りの断面テーパー状の爪部５２１ｃ１，５２１ｃ２からなる（詳しくは図２７参照）。
【０１１５】
前記一方のケース構成体である基板ボックス４００のケース本体部４１０の前記封止部４２０（第１、又は第２封止部）を嵌着した側部に繋がる両側部に凹溝部４１１を設け、他方のケース構成体であるボックスカバー５００のケース本体部５１０の前記封止部５２０（第１、又は第２封止部）を嵌着した側部に繋がる両側部に突条５１１を設けて、前記封止部４２１，５２１を嵌着した側部から対向側部の方向にスライドさせて互いに嵌合せしめるように構成してある。
【０１１６】
このように、ケース本体部４１０，５１０に対する封止部４２１，５２１（第１、又は第２封止部）の嵌合方向と、ふたつのケース構成体である基板ボックス４００とボックスカバー５００同士の嵌合方向が、結果として直交する方向であるので、一旦基板ボックス４００とボックスカバー５００同士の嵌合が完了すれば、対向する封止部４２１，５２１がケース本体部４１０，５１０から脱落する虞がなくなる。このように、両者の嵌合方向を直交する方向とする簡単な構成を採用することで、基板ボックス４００とボックスカバー５００の組み付け時にすでに封止部４２１，５２１のケース本体部４１０，５１０からの脱落を阻止することができるのである。
【０１１７】
図２６、図２８に示すように、第１の連結部５２２ａ及び第２の連結部５２２ｂは、ボックス側封止ユニット４２０（第１連結部材又は第２連結部材）の連結部４２２に比べて割れやすい構成となっている。すなわち、ボックス側封止ユニット４２０の連結部４２２がカバー側封止部５２１との突合せ方向のほぼ全域に渡って壁状に形成されているのに対し、第１の連結部５２２ａ及び第２の連結部５２２ｂは、カバー側封止部５２１の開口側の端部のみを板状部５２３と連結するように幅の狭い薄板状に形成されている。
【０１１８】
板状部５２３は、その両端部に嵌合部５１２に嵌着させるための嵌合片５２４，５２４を備えている。各嵌合片５２４は、矩形状の隣接する二辺を開口させた溝状の嵌合部５１２に嵌合する矩形板状とされる。また、板状部５２３は、両端とその内側のカバー側封止部５２１の相互間に相当する部位に、爪部５１６，５１６を係止させるための第１のスリット５２５，５２５を設けてある。さらに、板状部５２３のボックス側封止ユニット４２０との突合せ側の端部には、舌片５１４，５１４（図２２参照）の先端部を覆うようにフランジ５２６を設けてある。フランジ５２６には、凸部５１５，５１５（図２２参照）を挿入するための第２のスリット５２７，５２７を設けてある。第２のスリット５２７，５２７は、両端のカバー側封止部５２１，５２１と対応する位置に配設されている。
【０１１９】
ここで、図２７を参照して封止用ピン７００について説明する。封止用ピン７００は、展性に優れた軟性金属材料、ここではアルミ合金（その他、真鍮や銅など）からなる管状の部材である。図２７に示すように、封止用ピン７００は、基端側から順に、カバー側封止部５２１に係止させるフランジ７０１と、前記各挿通孔４２１ａ，５２１ａに挿し通す円筒状の筒状部７０２と、封止用ピン７００の基端側（フランジ７０１側）から挿入したネジ８００を螺合させる螺合部７０３を有する。フランジ７０１は、カバー側封止部５２１の内形に対応する略矩形状とされる。つまり、カバー側封止部５２１の内周部は、封止用ピン７００のフランジ７０１を相対回転不能に係合させる係合部となっている。
【０１２０】
筒状部７０２は、ボックス側封止部４２１の挿通孔４２１ａと略同径とされる。筒状部７０２の長さは、フランジ７０１の先端側の面をカバー側封止部５２１の底壁面５２１ｄに接触させた状態で、筒状部７０２の一部（先端部）がボックス側封止部４２１の挿通孔４２１ａから突出する長さとされる。螺合部７０３の内外径はともに、筒状部７０２の内外径よりも小径に形成してある。また、封止用ピン７００の肉厚は、筒状部７０２も螺合部７０３もほぼ同じ厚さとされる。また、封止用ピン７００の長さは、フランジ７０１をカバー側封止部５２１の保持部５２１ｃに仮留めした状態で、螺合部７０３の先端部がカバー側封止部５２１の挿通孔５２１ａに届かない長さとされる。封止用ピン７００を保持部５２１ｃに仮留めした状態で、ボックス側ケース本体部４１０とカバー側ケース本体部５１０の相対移動を許容するためである。
【０１２１】
次に、上記の如く構成された基板ケース２６３の組立工程及び封止工程について説明する。
【０１２２】
基板ボックス４００は、ボックス側ケース本体部４１０の嵌合部４１２，４１２にボックス側封止ユニット４２０（第１連結部材又は第２連結部材）の嵌合片４２４，４２４を嵌合させていくと、ボックス側ケース本体部４１０の舌片４１４，４１４がポケット部４１３側に弾性変形する。嵌合部４１２，４１２の奥まで嵌合片４２４，４２４を嵌合させると、舌片４１４，４１４がボックス側封止ユニット４２０の第１のスリット４２５，４２５に係止し、舌片４１４，４１４の係止を解除しない限り、嵌合部４１２，４１２から嵌合片４２４，４２４が抜けなくなる。これにより、ボックス側ケース本体部４１０とボックス側封止ユニット４２０とが連結され、基板ボックス４００が組み立てられる。
【０１２３】
ボックスカバー５００も基板ボックス４００と同様に組み立てられる。すなわち、カバー側ケース本体部５１０の舌片５１４，５１４をポケット部５１３側に弾性変形させながら、カバー側ケース本体部５１０の嵌合部５１２，５１２にカバー側封止ユニット５２０（第１連結部材又は第２連結部材）の嵌合片５２４，５２４を嵌合させていく。嵌合部５１２，５１２の奥まで嵌合片５２４，５２４を嵌合させると、舌片５１４，５１４がカバー側封止ユニット５２０の第１のスリット５２５，５２５に係止し、舌片５１４，５１４の係止を解除しない限り、嵌合部５１２，５１２から嵌合片５２４，５２４が抜けなくなる。これにより、カバー側ケース本体部５１０とカバー側封止ユニット５２０とが連結され、ボックスカバー５００が組み立てられる。
【０１２４】
なお、本実施形態では、図２８に示すように、基板ボックス４００とボックスカバー５００の組み立てに際して、各ポケット部４１３，５１３に舌片４１４，５１４の弾性変形を規制する樹脂４３０，５３０（例えば樹脂系の接着剤）を予め溶融状態で充填しておく。基板ボックス４００とボックスカバー５００をそれぞれ組み立てたのち、溶融状態の前記樹脂４３０，５３０が固化すると、舌片４１４，５１４をポケット部４１３，５１３側へ弾性変形させることができなくなる。このように、第１のスリット４２５，５２５に対する舌片４１４，５１４の係止を解除できなくすることで、各ケース本体部４１０，５１０から各封止ユニット４２０，５２０を取り外せなくなる。
【０１２５】
また、少なくとも基板ボックス４００側に使用される樹脂４３０は有色とされる。ボックス側封止部４２１はゴト対策として有色樹脂で構成されているので、その外側から内部を覗くことができない（但し、ボックス側ケース本体部４１０側からを除く。）。しかし、ボックス側封止部４２１は成形上の都合でボックス側ケース本体部４１０側を開口させてあるため、ボックス側ケース本体部４１０側からその内部を覗くことができる。上記の如く、舌片４１４の弾性変形を規制する樹脂４３０を有色とすることで、ボックス側ケース本体部４１０側からもボックス側封止部４２１の内部を覗くことができなくなる。このように、ボックス側封止部４２１の内部を外部から完全に見えなくすることで、ゴト対策が講じられる。
【０１２６】
次に、図２９を参照して上記基板ケース２６３を封止する工程について説明する。図２９（Ａ）〜（Ｅ）は、上記基板ケース２６３のボックス側封止部４２１、カバー側封止部５２１及び封止用ピン７００からなる封止機構２６４の断面図である。
【０１２７】
図２９（Ａ）は、封止用ピン７００がカバー側封止部５２１の保持部５２１ｃに仮留めされた状態を示している。この状態から爪部５２１ｃ２，５２１ｃ２の傾斜に沿って封止用ピン７００を押し込むと、舌片５２１ｂ，５２１ｂが徐々に拡開して、封止用ピン７００がカバー側封止部５２１の奥に押し込まれる。カバー側封止部５２１の内周形状を封止用ピン７００のフランジ７０１の輪郭形状に対応させて形成してあるので、封止用ピン７００はカバー側封止部５２１の内周面に沿って案内され、筒状部７０２がカバー側封止部５２１及びボックス側封止部４２１の挿通孔５２１ａ，４２１ａに差し込まれる。
【０１２８】
図２９（Ｂ）は、封止用ピン７００をカバー側封止部５２１の奥に押し込んでカバー側封止部５２１の挿通孔５２１ａ及びボックス側封止部４２１の挿通孔４２１ａに挿し通した状態を示している。同図（Ｂ）の状態で、封止用ピン７００の基端側から軸力発生手段の一部としてのネジ８００を差し込む。ネジ８００の外径は、螺合部７０３の内径よりも若干大径とされる。このため、同図（Ｂ）のようにネジ８００を封止用ピン７００に差し込んだだけでは、ネジ８００の先端が螺合部７０３の内周側上端位置に形成される段部に担持されるだけの状態となる。
【０１２９】
図２９（Ｃ）は、同図（Ｂ）の状態から封止用ピン７００の螺合部７０３にネジ８００を、図示しないドライバーを用いてねじ込んで螺合させた状態を示している。この実施形態では、同図（Ａ）（Ｂ）に示すように、螺合部７０３の内径面に予めねじ切り加工を施していない。つまり、同図（Ｃ）のように、螺合部７０３の内径よりも外径の大きいネジ８００をねじ込むことで螺合部７０３の内面がねじ切り加工されながらネジ８００が螺進する（図２９（Ｅ）参照）。
【０１３０】
図２９（Ｄ）は、同図（Ｃ）の状態からさらにネジ８００をねじ込んで締め付けた状態を示している。ネジ頭８０１（鍔部）がフランジ７０１に接触した状態でネジ８００を締め付けると、ネジ８００の軸線方向の移動が阻止された状態で回動されるので、螺進方向とは逆向きで、封止用ピン７００の筒状部７０２に軸方向の大きな圧縮力が付与され、封止用ピン７００の筒状部７０２が、拡径方向に塑性変形を来たして座屈し、カシメが行われる。つまり、封止用ピン７００の筒状部７０２は螺合部７０３よりも大径であるので、軸方向の剛性が螺合部７０３よりも小さい。このため、ネジ８００の締め付けにより螺合部７０３が基端側に引き寄せられると、筒状部７０２が圧縮されてボックス側封止部４２１の挿通孔４２１ａから突出した部分が塑性変形を来たして拡径し、ボックス側封止部４２１に係止させる係止部７０４が形成される。
【０１３１】
係止部７０４が形成されたのちネジ８００は封止用ピン７００に取り付けたままでも取り外してもどちらでも構わないが、通常は取り外す。ネジ８００を取り付けたままにしておくと、基板ケース２６３を検査等で開封して再度他の封止部で封印を行うときに、これを抜いて用いれば、わざわざ別のネジを用意する必要がなく便利である。さらに、封止用ピン７００のせん断力に対する剛性が高められるという利点もある。なお、図２９（Ｅ）は、係止部７０４が形成されたのちネジ８００を封止用ピン７００から取り外した状態を示している。
【０１３２】
以上の図２１（Ａ）〜（Ｅ）の工程により基板ケース２６３は封印される。封止機構２６４による封印処理は、その封印後の不正な開封を防止し、また万一不正開封が行われてもそのような事態を早期にかつ容易に発見可能とするものであって、一旦開封した後でも再度開封・封印処理を行うこと自体は可能である。すなわち、複数の封止機構２６４のうち一つの封止機構２６４を使用することにより基板ケース２６３の封印処理が行われる。そして、収容した主制御基板の不具合などにより基板ケース２６３を開封する場合には、封印に供されている封止機構２６４を破壊する。
【０１３３】
詳しくは、図３０に示すように、カバー側封止部５２１の第２の連結部５２２ｂを切断する。そうすると、同図のように、当該カバー側封止部５２１が封止用ピン７００にてボックス側封止部４２１と連結された状態であっても、ボックス側ケース本体部４１０とカバー側ケース本体部５１０の相対移動が可能になる。その後、再度封印処理する場合は、封印に使用されていない他の一つの封止機構２６４に対して図２９（Ａ）〜（Ｅ）に示した各工程を行う。破壊された封止機構２６４の個数により基板ケース２６３の開封を行った旨の履歴が残され、基板ケース２６３を見ることで不正な開封が行われた旨を容易に発見できる。
【０１３４】
本発明を適用したパチンコ機１０は、上述の如く、ケース本体部４１０，５１０と封止ユニット４２０，５２０とを別体に構成しているので、遊技機の機種ごとに相違する制御基板の大きさや形状によってケース本体部４１０，５１０の設計変更を行なっても、複数の封止部４２１，５２１を含む封止ユニット４２０，５２０の設計変更を行なう必要がない。かかる観点から、ケース本体部４１０，５１０の成形型のみを設計変更して封止ユニット４２０，５２０の成形型はそのまま使い続けることができる。
【０１３５】
これにより、遊技機の機種ごとに複雑な構造の封止部４２１，５２１を含む基板ケース２６３の成形型の作製が不要で、簡単な構造のケース本体部４１０，５１０の成形型のみを作製すればよいから、基板ケース２６３の製造コストを抑制することができる。また、上記の如く、ケース本体部４１０，５１０と封止ユニット４２０，５２０との連結手段として嵌着構造を採用することで、ケース本体部４１０，５１０に対する封止ユニット４２０，５２０の位置決め精度を高めることができる。
【０１３６】
また、ケース本体部４１０，５１０に嵌合部４１２，５１２を設ける一方、封止ユニット４２０，５２０に嵌合部４１２，５１２に嵌合する嵌合片４２４，５２４を設け、嵌合部４１２，５１２と嵌合片４２４，５２４をケース本体部４１０，５１０の開口側から嵌め合わせてあるので、基板ボックス４００とボックスカバー５００を突き合わせた際に、各々の封止ユニット４２０，５２０が干渉し、ケース本体部４１０，５１０から封止ユニット４２０，５２０を取り外しできなくなる。
【０１３７】
なお、上記実施形態では、ケース本体部４１０，５１０に嵌合部４１２，５１２を設ける一方、封止ユニット４２０，５２０に嵌合部４１２，５１２に嵌合する嵌合片４２４，５２４を設けてあるが、ケース本体部４１０，５１０に嵌合片を設け、封止ユニット４２０，５２０に嵌合部を設けるようにしても構わない。つまり、ケース本体部４１０，５１０及び封止ユニット４２０，５２０の一方に嵌合部を設け、かつ、他方に前記嵌合部に嵌合する嵌合片を設け、前記嵌合部と前記嵌合片をケース本体部の開口側から嵌め合わせてあればよい。
【０１３８】
また、ケース本体部４１０，５１０に嵌合方向に延在する舌片４１４，５１４を設けると共に該舌片４１４，５１５に爪部４１６，５１６を設け、かつ、封止ユニット４２０，５２０に爪部４１６，５１６を係止させる第１のスリット４２５，５２５を設けてあるので、基板ボックス４００とボックスカバー５００を突き合わせなくても、ケース本体部４１０，５１０から封止ユニット４２０，５２０が脱落しにくくなる。なお、上記実施形態では、ケース本体部４１０，５１０に舌片４１４，５１４及び爪部４１６，５１６を設ける一方、封止ユニット４２０，５２０に第１のスリット４２５，５２５を設けてあるが、ケース本体部４１０，５１０に嵌合片を設け、かつ、封止ユニット４２０，５２０に嵌合部を設けた場合には、ケース本体部４１０，５１０に第１のスリットを設け、かつ、封止ユニット４２０，５２０に舌片及び爪部を設けるようにしてもよい。つまり、ケース本体部４１０，５１０及び封止ユニット４２０，５２０の一方に嵌合方向に延在する舌片を設けると共に該舌片に爪部を設け、かつ、他方に爪部を係止させる第１のスリットを設けてあればよい。
【０１３９】
また、上記実施形態では、ボックス側封止ユニット４２０（第１連結部材又は第２連結部材）の連結部４２２を断面視略Ｅ形状としてあるので、連結部４２２のボックス側ケース本体部４１０側の部分に設けた第１のスリット４２５が貫通孔であっても、連結部４２２のボックス側ケース本体部４１０側とは反対側の部分と中間の部分とが第１のスリット４２５を遮蔽する遮蔽部となって、第１のスリット４２５に係止させた爪部４１６を外側から視認しにくくなっている。これにより、ボックス側ケース本体部４１０とボックス側封止ユニット４２０の連結構造を視認しにくくしてゴト対策を講じている。
【０１４０】
また、本発明を適用したパチンコ機１０は、上述の如く、ケース本体部４１０，５１０と封止ユニット４２０，５２０（第１連結部材又は第２連結部材）とを別体に構成しているので、ケース本体部４１０，５１０は内部に収納した制御基板を外部から視認できるように透明樹脂で構成する一方、封止ユニット４２０，５２０を有色樹脂で構成することができる。このように、封止ユニット４２０，５２０を有色樹脂で構成すれば、封止部４２１，５２１を外部から見てもその構造を確認しにくくなり、基板ケース２６３の不正な開封を防止することができる。
【０１４１】
また、嵌合部４１２，５１２よりも内側にポケット部４１３，５１３を設け、ポケット部４１３，５１３に溶融状態の樹脂４３０，５３０を充填してから、ケース本体部４１０，５１０と封止ユニット４２０，５２０（第１連結部材又は第２連結部材）を連結させるようにしてあるので、溶融状態の樹脂４３０，５３０が固化すると、舌片４１４，５１４の弾性変形が規制され、ケース本体部４１０，５１０から封止ユニット４２０，５２０を取り外せなくなる。しかも、舌片４１４の弾性変形を規制する樹脂４３０を有色とすることで、ボックス側封止部４２１がボックス側ケース本体部４１０側を開口させた箱状とされていても、当該開口部を樹脂４３０にて遮蔽することができ、ボックス側ケース本体部４１０側からもボックス側封止部４２１の内部を見えなくすることができる。
【０１４２】
また、封止ユニット４２０，５２０（第１連結部材又は第２連結部材）に舌片４１４，５１４の先端側を覆うフランジ４２６，５２６を設けることで、舌片４１４，５１４及び該舌片４１４，５１４に設けた爪部４１６，５１６を視認しにくくなる。つまり、ケース本体部４１０，５１０のポケット部４１３，５１３の開口部を閉塞する如く封止ユニット４２０，５２０にフランジ４２６，５２６を設けることで、基板ボックス４００とボックスカバー５００を分離した状態でも舌片４１４，５１４及び爪部４１６，５１６の存在を確認しにくくなる。
【０１４３】
なお、上記実施形態では、封止ユニット４２０，５２０（第１連結部材又は第２連結部材）にフランジ４２６，５２６を設けてあるが、ケース本体部４１０，５１０に嵌合片を設け、かつ、封止ユニット４２０，５２０に嵌合部を設けた場合には、ケース本体部４１０，５１０にフランジを設けるようにしてもよい。つまり、ケース本体部４１０，５１０及び封止ユニット４２０，５２０の他方に、一方に設けた舌片の先端側を覆うフランジを設けてあればよい。
【０１４４】
また、上記のフランジ４２６，５２６に第２のスリット４２７，５２７を設け、かつ、ケース本体部４１０，５１０に第２のスリット４２７，５２７に挿入される凸部４１５，５１５を設けてあるので、嵌合部４１２，５１２と嵌合片４２４，５２４の嵌合を補強することができる。
【０１４５】
また、上記実施形態では、ボックス側封止ユニット４２０（第１連結部材又は第２連結部材）の第１のスリット４２５と、カバー側封止ユニット５２０（第１連結部材又は第２連結部材）の第１のスリット５２５とを線対称で、即ち、両ケース構成体４００，５００の合わせ面、具体的には、ボックス側ケース本体部４１０とカバー側ケース本体部５１０との合わせ面を線としての線対称で配置し、かつ、ボックス側封止ユニット４２０の第２のスリット４２７と、カバー側封止ユニット５２０の第２のスリット５２７とを互いに連通するように設けてある。換言すれば、ボックス側ケース本体部４１０の舌片４１４及び凸部４１５と、カバー側ケース本体部５１０の舌片５１４及び凸部５１５とが対向配置される。これにより、各ケース本体部４１０，５１０と封止ユニット４２０，５２０の連結強度が均一化される。
【０１４６】
以上、本発明の一実施形態につき説明したが、本発明は上記実施形態に限定されることなくその要旨を逸脱しない範囲内で種々の変形が可能である。例えば、上記実施形態では、ボックス側封止部４２１とカバー側封止部５２１の封止連結構造として、封止用ピン７００のカシメを利用したリベットタイプのものを示したが、封止連結構造については従来構造をはじめ今後開発されるであろう新規な構造も使用することもできる。
【０１４７】
また、上記実施形態では、基板ボックス４００及びボックスカバー５００がともに、ケース本体部４１０，５１０と封止ユニット４２０，５２０とを別体に構成してあるが、少なくともいずれか一方を別体構成とすればよい。つまり、基板ボックス４００又はボックスカバー５００のいずれか一方の封止部４２１又は５２１が複雑な構造で、他方の封止部５２１又は４２１が極めて簡単な構造である場合には、基板ボックス４００又はボックスカバー５００のいずれか一方のみをケース本体部４１０又は５１０と封止ユニット４２０又は５２０に分けて構成し、他方はケース本体部５１０又は４１０と封止ユニット５２０又は４２０とを一体に成形してもよい。
【産業上の利用可能性】
【０１４８】
本発明によれば、制御基板を二つ割方式の基板ケースに収める遊技機であれば、パチンコ機、スロットマシン、ゲーム機等、種々の遊技機に適用できるもので、その利用可能性は大きい。
【図面の簡単な説明】
【０１４９】
【図１】パチンコ機の正面図である。
【図２】外枠に対して内枠と前面枠セットとを開放した状態を示す斜視図である。
【図３】パチンコ機から前面枠セットを取り外した状態を示す正面図である。
【図４】遊技盤の構成を示す正面図である。
【図５】前面枠セットの背面図である。
【図６】パチンコ機の背面図である。
【図７】パチンコ機の背面構成を主要部品毎に分解して示す分解斜視図である。
【図８】内枠に遊技盤を組み付けた状態でその構成を示す背面図である。
【図９】内枠を後方より見た斜視図である。
【図１０】支持金具の構成を示す斜視図である。
【図１１】第１制御基板ユニットの正面図である。
【図１２】第１制御基板ユニットの斜視図である。
【図１３】第１制御基板ユニットの分解斜視図である。
【図１４】第１制御基板ユニットを裏面から見た分解斜視図である。
【図１５】第２制御基板ユニットの正直図である。
【図１６】第２制御基板ユニットの斜視図である。
【図１７】第２制御基板ユニットの分解斜視図である。
【図１８】裏パックユニットの正面図である。
【図１９】裏パックユニットの分解斜視図である。
【図２０】基板ケースの分解斜視図である。
【図２１】ボックス側ケース本体部の要部拡大斜視図である。
【図２２】カバー側ケース本体部の要部拡大斜視図である。
【図２３】ボックス側封止ユニットの斜視図である。
【図２４】ボックス側封止ユニットの背面図である。
【図２５】カバー側封止ユニットの斜視図である。
【図２６】ボックス側封止ユニット及びカバー側封止ユニットを突き合わせた状態を示す斜視図である。
【図２７】ボックス側封止ユニット及びカバー側封止ユニットを突き合わせた状態を示す断面図である。
【図２８】基板ボックス及びボックスカバーを組み立てて突き合わせた状態を示す要部拡大断面図である。
【図２９】（Ａ）図乃至（Ｅ）図は基板ケースの封印工程を示す要部拡大断面図で、（Ａ）図は封止用ピンが基板ケースの封印に使用されず仮留めされている状態を、（Ｂ）図は封止用ピンをカバー側封止部及びボックス側封止部の各挿通孔に挿し通した状態を、（Ｃ）図は挿通孔に挿し通した封止用ピンにネジをねじ込んだ状態を、（Ｄ）図はネジの回転により封止用ピンを加締めた状態を、（Ｅ）図は加締められた封止用ピンからネジを取り外した状態を、それぞれ示す図である。
【符号の説明】
【０１５０】
２６１：主制御装置
２６３：基板ケース
２６４：封止機構
４００：基板ボックス
４１０：ボックス側ケース本体部
４１１：凹溝部
４１２：嵌合部
４１３：ポケット部
４１４：舌片
４１５：凸部
４１６：爪部
４２０：ボックス側封止ユニット
４２１：ボックス側封止部
４２１ａ：挿通孔
４２２：連結部（遮蔽部）
４２４：嵌合片
４２５：第１のスリット
４２６：フランジ
４２７：第２のスリット
４３０：舌片の弾性変形を規制する樹脂
５００：ボックスカバー
５１０：カバー側ケース本体部
５１１：突条
５１２：嵌合部
５１３：ポケット部
５１４：舌片
５１５：凸部
５１６：爪部
５２０：カバー側封止ユニット
５２１：カバー側封止部
５２１ａ：挿通孔
５２１ｂ：舌片
５２１ｃ：保持部
５２１ｃ１，５２１ｃ２：爪部
５２１ｄ：底壁面
５２２ａ：第１の連結部
５２２ｂ：第２の連結部
５２３：板状部
５２４：嵌合片
５２５：第１のスリット
５２６：フランジ
５２７：第２のスリット
５３０：舌片の弾性変形を規制する樹脂
７００：封止用ピン
７０１：フランジ
７０２：筒状部
７０３：螺合部
７０４：係止部
８００：ネジ
８０１：ネジ頭
【図１】
2007215627.tif 000003
【図２】
2007215627.tif 000004
【図３】
2007215627.tif 000005
【図４】
2007215627.tif 000006
【図５】
2007215627.tif 000007
【図６】
2007215627.tif 000008
【図７】
2007215627.tif 000009
【図８】
2007215627.tif 000010
【図９】
2007215627.tif 000011
【図１０】
2007215627.tif 000012
【図１１】
2007215627.tif 000013
【図１２】
2007215627.tif 000014
【図１３】
2007215627.tif 000015
【図１４】
2007215627.tif 000016
【図１５】
2007215627.tif 000017
【図１６】
2007215627.tif 000018
【図１７】
2007215627.tif 000019
【図１８】
2007215627.tif 000020
【図１９】
2007215627.tif 000021
【図２０】
2007215627.tif 000022
【図２１】
2007215627.tif 000023
【図２２】
2007215627.tif 000024
【図２３】
2007215627.tif 000025
【図２４】
2007215627.tif 000026
【図２５】
2007215627.tif 000027
【図２６】
2007215627.tif 000028
【図２７】
2007215627.tif 000029
【図２８】
2007215627.tif 000030
【図２９】
2007215627.tif 000031